(57)【特許請求の範囲】
【請求項１】
水の流れに関して上流から下流に向かう順に混和池と沈殿池とろ過池とを備える水処理システムの水処理制御装置であって、
前記沈殿池から取得されたろ過される前の水の吸引時間と、前記ろ過池から取得されたろ過された後の水の吸引時間との比である吸引時間比を取得する吸引時間比取得部と、
凝集剤が注入された前記混和池から取得されたろ過される前の水の流動電流値を取得する流動電流値取得部と、
前記吸引時間比に基づく前記凝集剤の注入量と前記流動電流値に基づく前記注入量との差に基づいて、前記吸引時間比と前記流動電流値との相対的な重み付けを決定する重み付け決定部と、
前記吸引時間比と、前記流動電流値と、前記重み付け決定部によって決定された重み付けとに基づいて、前記注入量又は注入率を決定する注入量決定部と、
を備える水処理制御装置。
【請求項２】
前記重み付け決定部は、前記差が閾値未満である場合、前記吸引時間比の重み付けよりも前記流動電流値の重み付けを大きくし、前記差が閾値以上である場合、前記流動電流値の重み付けよりも前記吸引時間比の重み付けを大きくする、請求項１に記載の水処理制御装置。
【請求項３】
水の流れに関して上流から下流に向かう順に混和池と沈殿池とろ過池とを備える水処理システムの水処理制御装置であって、
前記沈殿池から取得されたろ過される前の水の吸引時間と、前記ろ過池から取得されたろ過された後の水の吸引時間との比である吸引時間比を取得する吸引時間比取得部と、
凝集剤が注入された前記混和池から取得されたろ過される前の水の流動電流値を取得する流動電流値取得部と、
前記沈殿池から取得されたろ過される前の水の濁度情報を取得する濁度取得部と、
前記濁度情報が示す濁度に基づいて、前記吸引時間比と前記流動電流値との相対的な重み付けを決定する重み付け決定部と、
前記吸引時間比と、前記流動電流値と、前記重み付け決定部によって決定された重み付けとに基づいて、前記凝集剤の注入量又は注入率を決定する注入量決定部と
を備える水処理制御装置。
【請求項４】
前記重み付け決定部は、前記濁度が濁度閾値未満である場合、前記吸引時間比の重み付けよりも前記流動電流値の重み付けを大きくし、前記濁度が濁度閾値以上である場合、前記流動電流値の重み付けよりも前記吸引時間比の重み付けを大きくする、請求項３に記載の水処理制御装置。
【請求項５】
前記吸引時間比取得部は、運転員が手動で測定した前記吸引時間比と、前記吸引時間比を測定する装置が測定した前記吸引時間比とのいずれかを取得する、請求項１から請求項４のいずれか一項に記載の水処理制御装置。
【請求項６】
水の流れに関して上流から下流に向かう順に混和池と沈殿池とろ過池とを備える水処理システムの水処理制御装置における水処理制御方法であって、
前記沈殿池から取得されたろ過される前の水の吸引時間と、前記ろ過池から取得されたろ過された後の水の吸引時間との比である吸引時間比を取得するステップと、
凝集剤が注入された前記混和池から取得されたろ過される前の水の流動電流値を取得するステップと、
前記吸引時間比に基づく前記凝集剤の注入量と前記流動電流値に基づく前記注入量との差に基づいて、前記吸引時間比と前記流動電流値との相対的な重み付けを決定するステップと、
前記吸引時間比と、前記流動電流値と、前記重み付け決定部によって決定された重み付けとに基づいて、前記注入量又は注入率を決定するステップと、
を含む水処理制御方法。
【請求項７】
水の流れに関して上流から下流に向かう順に混和池と沈殿池とろ過池とを備える水処理システムの水処理制御装置における水処理制御方法であって、
前記沈殿池から取得されたろ過される前の水の吸引時間と、前記ろ過池から取得されたろ過された後の水の吸引時間との比である吸引時間比を取得するステップと、
凝集剤が注入された前記混和池から取得されたろ過される前の水の流動電流値を取得するステップと、
前記沈殿池から取得されたろ過される前の水の濁度情報を取得する濁度取得部と、
前記濁度情報が示す濁度に基づいて、前記吸引時間比と前記流動電流値との相対的な重み付けを決定するステップと、
前記吸引時間比と、前記流動電流値と、前記重み付け決定部によって決定された重み付けとに基づいて、前記凝集剤の注入量又は注入率を決定するステップと
を含む水処理制御方法。
【発明の詳細な説明】
【技術分野】
【０００１】
本発明の実施形態は、水処理制御装置、及び水処理制御方法に関する。
【背景技術】
【０００２】
水処理システムでは、浄水工程において、貯水部に凝集剤が注入される。しかしながら、従来の技術では、凝集剤を過剰に注入することを抑制することができない場合があった。
【先行技術文献】
【特許文献】
【０００３】
【特許文献１】特開２０１３−１９８８６５号公報
【発明の概要】
【発明が解決しようとする課題】
【０００４】
本発明が解決しようとする課題は、凝集剤を過剰に注入することを抑制することができる水処理制御装置、及び水処理制御方法を提供することである。
【課題を解決するための手段】
【０００５】
実施形態の水処理制御装置は、吸引時間比取得部と、流動電流値取得部と、重み付け決定部と、注入量決定部とを持つ。吸引時間比取得部は、ろ過される前の水の吸引時間と、ろ過された後の水の吸引時間との比である吸引時間比を取得する。流動電流値取得部は、ろ過される前の水の流動電流値を取得する。重み付け決定部は、ろ過される前の水に応じた水質の指標の測定値に基づいて、吸引時間比と流動電流値との相対的な重み付けを決定する。注入量決定部は、吸引時間比と、流動電流値と、重み付け決定部によって決定された重み付けとに基づいて、凝集剤の注入量又は注入率を決定する。
【図面の簡単な説明】
【０００６】
【図１】実施形態における、水処理システムの図。
【図２】実施形態における、流動電流計の図。
【図３】実施形態における、水処理制御装置の図。
【図４】実施形態における、凝集剤の注入量と、水の濁度との関係を示す図。
【図５】実施形態における、凝集剤の注入量と、水の流動電流値との関係を示す図。
【図６】実施形態における、凝集剤の注入量と、水の吸引時間比との関係を示す図。
【図７】実施形態における、水処理制御装置の動作を示す図。
【発明を実施するための形態】
【０００７】
以下、実施形態の水処理制御装置、及び水処理制御方法を、図面を参照して説明する。
図１は、実施形態における、水処理システム１の図である。水処理システム１は、複数の貯水部を備える。水処理システム１は、取水井１０と、着水井２０と、混和池３０と、フロック形成池４０と、沈殿池５０と、ろ過池６０と、配水池７０とを備える。また、水処理システム１は、調整部８０と、凝集剤９０と、注入装置１００とを備える。水処理システム１は、活性炭を水に接触させるための接触池を備えてもよい。
【０００８】
取水井１０は、原水を一時的に貯留する。
着水井２０には、取水井１０の原水が送水される。着水井２０では、植物や土砂が原水から分離される。
混和池３０（急速撹拌池）には、着水井２０の上澄みの水が送水される。混和池３０では、調整部８０によって凝集剤９０が水に注入される。混和池３０では、運転員による手動で、凝集剤９０が水に注入されてもよい。
【０００９】
混和池３０には、混合装置３１が取り付けられている。混合装置３１は、取水井１０から送水された水と、凝集剤９０とを混合する。混合装置３１は、例えば、急速攪拌装置（フラッシュ・ミキサ）、モータ等の駆動部を有する攪拌装置や、駆動部を有しない攪拌装置（スタティック・ミキサ）である。混和池３０では、凝集剤９０によって懸濁物質（Suspended  Solids）の荷電状態が中和される。荷電状態が中和されることにより、懸濁物質は凝集する。懸濁物質は、例えば、色度成分、溶解性成分や、藻類である。混和池３０では、混合装置３１による攪拌によって、水中に微フロックが形成される。
【００１０】
フロック形成池４０には、微フロックを含む水が、混和池３０から送水される。フロック形成池４０は、水に含まれる微フロック同士を衝突させて、フロックを成長させる。
沈殿池５０は、水中で成長したフロックを沈降させる。
ろ過池６０には、沈殿池５０の水が送水される。ろ過池６０は、沈殿池５０から送水された水をろ過する。ろ過池６０は、開口部を有する水槽でもよい。
【００１１】
配水池７０には、ろ過された水が、ろ過池６０から送水される。配水池７０では、塩素が水に注入される。塩素によって消毒された水は、配水池７０から配水される。塩素によって消毒された水は、住宅などに配水される。
【００１２】
調整部８０は、注入装置１００によって決定された注入量の凝集剤９０を、混和池３０に注入する。調整部８０は、注入装置１００によって決定された注入率の凝集剤９０を、混和池３０に注入してもよい。凝集剤９０の注入率は、凝集剤９０が注入される箇所の水の量に対する、凝集剤９０の注入量の割合である。
【００１３】
調整部８０は、例えば、ポンプである。調整部８０は、凝集剤９０の注入量を変更可能な機構であれば、どのような機構を有していてもよい。例えば、調整部９０は、インバータや電動弁を用いて、凝集剤９０の注入量又は注入率を変更してもよい。
【００１４】
凝集剤９０は、水に含まれる粒子を凝集させる。凝集剤９０は、例えば、ポリ塩化アルミニウム（PAC:Poly  Aluminum  Chloride）、硫酸バンド、塩化第二鉄、硫酸第一鉄、ポリシリカ鉄等の無機系凝集剤である。
【００１５】
凝集剤９０は、高分子凝集剤と併用されてもよい。高分子凝集剤は、例えば、カチオン性ポリマ、アニオン性ポリマ、両性ポリマである。凝集剤９０は、ｐＨ調整剤と併用されてもよい。ｐＨ調整剤は、凝集させるために適切であるｐＨ域に、水のｐＨ値を調整することができる。ｐＨ調整剤は、酸性の調整剤でもよいし、アルカリ性の調整剤でもよい。酸性の調整剤は、例えば、硫酸や塩酸である。アルカリ性の調整剤は、例えば、苛性ソーダや水酸化カルシウムである。
【００１６】
注入装置１００は、流動電流計１１０（SCD:Streaming  Current  Detector）と、濁度計１２０と、時間比測定装置１３０とを備える。
図２は、実施形態における、流動電流計１１０の図である。流動電流計１１０は、混和池３０の水の流動電流を測定する。懸濁物質の荷電状態の中和は、流動電流値が値０又は値０に近い値となった場合に進み易い。つまり、懸濁物質は、流動電流値が値０又は値０に近い値となった場合に、凝集し易い状態となる。なお、流動電流値は、水質によっては、値０又は値０に近い値に限らなくてよい。
【００１７】
流動電流計１１０は、プルーブ１１１と、ピストン１１２と、電極１１３とを有する。流動電流計１１０には、ポンプなどの送水機構によって注水されてもよいし、水位差を利用して注水されてもよい。なお、流動電流計１１０に送られた水は、混和池３０に返されてもよい。これにより、流動電流計１１０は、混和池３０での混合作用を高めることができる。
【００１８】
プルーブ１１１とピストン１１２との間隔は、例えば、０．１［ｍｍ］である。ピストン１１２は、プルーブ１１１に囲まれた空間で、往復運動をする。電極２１３−１は、プルーブ２１１に注水された水の流動電流を測定し、測定した流動電流値を出力する。水の流動電流は、帯電した懸濁物質の移動によって発生する。流動電流計１１０は、測定した流動電流値を、水処理制御装置１４０（コントローラ）に出力する。電極２１３−２も同様である。
【００１９】
流動電流値は、凝集剤９０の注入量に応じて増減する。流動電流値の目標値は、例えば、ジャーテストや水質試験の結果に基づいて予め定められる。流動電流計１１０は、懸濁物質の荷電状態を連続的に検出する流動電位計でもよい。また、流動電流計１１０は、懸濁物質の荷電状態を間欠的に検出するゼータ電位計でもよい。
【００２０】
なお、ジャーテストは、運転員への負担が大きいものである。ジャーテストは、実際の浄水工程での水質の変動にジャーテストの結果が追従するためには、頻繁に実施される必要があるからである。
【００２１】
濁度計１２０は、ろ過される前の水の濁度を測定する。図１では、濁度計１２０は、沈澱池５０の水の濁度を測定する。濁度計１２０は、濁度情報を水処理制御装置１４０に出力する。
【００２２】
時間比測定装置１３０は、ろ過される前の水を、例えば、沈澱池５０から取得する。時間比測定装置１３０は、ろ過された後の水（清澄水）を、例えば、ろ過池６０から取得する。時間比測定装置１３０は、ろ過された後の水を、配水池７０から取得してもよい。時間比測定装置１３０は、ろ過される前の水の吸引時間と、ろ過された後の水の吸引時間との比である吸引時間比（STR:Suction  Time  Ratio）を、連続的に測定する。時間比測定装置１３０は、吸引時間比を、所定周期で間欠的に測定してもよい。時間比測定装置１３０は、吸引時間比を、流動電流値の測定周期よりも長い周期で、間欠的に測定してもよい。時間比測定装置１３０は、吸引時間比を水処理制御装置１４０に出力する。
【００２３】
水処理制御装置１４０は、吸引時間比と流動電流値との相対的な重み付けを決定する。水処理制御装置１４０は、吸引時間比と、流動電流値と、決定された重み付けとに基づいて、凝集剤９０の注入量又は注入率を決定する。注入量に関する情報は、例えば、注入量、注入率、注入時間などである。
【００２４】
図３は、実施形態における、水処理制御装置１４０の図である。水処理制御装置１４０は、切替部ＳＷと、吸引時間比取得部１４１と、流動電流値取得部１４２と、濁度取得部１４３と、記憶部１４４と、重み付け決定部１４５と、注入量決定部１４６とを備える。吸引時間比取得部１４１と、流動電流値取得部１４２と、濁度取得部１４３と、重み付け決定部１４５と、注入量決定部１４６とのうち一部または全部は、例えば、ＣＰＵ（Central  Processing  Unit）等のプロセッサが、記憶部２２１に記憶されたプログラムを実行することにより機能するソフトウェア機能部である。また、これらの機能部のうち一部または全部は、ＬＳＩ（Large  Scale  Integration）やＡＳＩＣ（Application  Specific  Integrated  Circuit）等のハードウェア機能部であってもよい。
【００２５】
切替部ＳＷは、運転員による操作に応じて、その状態を切り替える。切替部ＳＷは、ハードウェアで構成されたスイッチでもよいし、ソフトウェアで構成されたスイッチでもよい。水処理制御装置１４０は、計測機器の故障時やメンテナンス等によって連続測定が不可になった場合でも、凝集剤９０を注入する制御を継続することができる。
【００２６】
吸引時間比取得部１４１は、切替部ＳＷが第１の状態である場合、時間比測定装置１３０が測定した吸引時間比を取得する。この場合、吸引時間比取得部１４１は、時間比測定装置１３０が測定した吸引時間比を、重み付け決定部１４５に転送する。運転員は、ジャーテスト等の手動のビーカースケールの試験によって、吸引時間比を測定することができる。運転員（オペレータ）は、１日に数回、吸引時間比を測定してもよい。吸引時間比取得部１４１は、切替部ＳＷが第２の状態である場合、運転員が手動で測定した吸引時間比を取得する。この場合、吸引時間比取得部１４１は、運転員が手動で測定した吸引時間比を、重み付け決定部１４５に転送する。
【００２７】
流動電流値取得部１４２は、測定した流動電流値を、流動電流計１１０から取得する。流動電流値取得部１４２は、流動電流値を重み付け決定部１４５に転送する。
濁度取得部１４３は、測定した濁度情報を濁度計１２０から取得する。濁度取得部１４３は、濁度情報を重み付け決定部１４５に転送する。
【００２８】
記憶部１４４は、例えば、ＲＯＭ（Read  Only  Memory）、フラッシュメモリ、ＨＤＤ（Hard  Disk  Drive）などの不揮発性の記憶媒体（非一時的な記憶媒体）を有する。記憶部２２１は、例えば、ＲＡＭ（Random  Access  Memory）やレジスタなどの揮発性の記憶媒体を有していてもよい。
【００２９】
記憶部１４４は、凝集剤９０の注入量と水の濁度との関係を示す情報と、凝集剤９０の注入量と水の流動電流値との関係を示す情報と、凝集剤９０の注入量と水の吸引時間比との関係を示す情報とを記憶する。これら関係を示す情報は、関係式として記憶されてもよい。記憶部１４４は、ソフトウェア機能部を機能させるためのプログラムを記憶してもよい。
【００３０】
図４は、実施形態における、凝集剤９０の注入量と、水の濁度との関係を示す図である。横軸は、凝集剤９０の注入量を示す。縦軸は、濁度を示す。凝集剤９０の注入量が増加すると、濁度は低下する。さらに、凝集剤９０が過剰に注入された場合でも、濁度を表す曲線が緩やかなままである。濁度には、濁度閾値が定められている。濁度閾値は、例えば、濁度を表す曲線が緩やかになる濁度を表す値である。濁度閾値は、例えば、流動電流値の信頼性が低下し始める値でもよい。これらの濁度閾値は、実験的に定めることができる。
【００３１】
濁度は、凝集剤９０が過剰に注入されている場合でも、濁度閾値以下のままとなる。このため、現在の注入量が適正であるか否かは、濁度のみに基づいては判定できない。凝集剤９０が過剰に注入されている場合、反応せずに残った凝集剤９０は、ろ過池６０に送られるのでて、ろ過抵抗（ろ抗）が上昇する要因になる。
【００３２】
図５は、実施形態における、凝集剤９０の注入量と、水の流動電流値との関係を示す図である。横軸は、凝集剤９０の注入量を示す。縦軸は、流動電流値を示す。図５では、測定された流動電流値が値Ｃ１である場合、これに対応する凝集剤９０の注入量は、注入量Ｍ１である。目標注入量ＴＧ１と注入量Ｍ１との差と等しい量の凝集剤９０を混和池３０の水に注入すれば、流動電流値は値０となる。前述したように、懸濁物質の荷電状態の中和は、流動電流値が値０又は値０に近い値となった場合に進み易い。
【００３３】
図６は、実施形態における、凝集剤９０の注入量と、水の吸引時間比との関係を示す図である。横軸は、凝集剤９０の注入量を示す。縦軸は、吸引時間比を示す。図６では、測定された吸引時間比が値Ｒ２である場合、これに対応する凝集剤９０の注入量は、注入量Ｍ２である。目標注入量ＴＧ２と注入量Ｍ２との差と等しい量の凝集剤９０を混和池３０の水に注入すれば、吸引時間比はＲ１となる。ここで、吸引時間比Ｒ１は、例えば、値１である。懸濁物質の荷電状態の中和は、吸引時間比が値１又は値１に近い値となった場合に進み易い。
【００３４】
重み付け決定部１４５は、測定された水の濁度が濁度閾値（図４を参照）未満である場合、吸引時間比の重み付けよりも流動電流値の重み付けを大きくすることができる。また、重み付け決定部１４５は、測定された水の濁度が濁度閾値以上である場合、流動電流値の重み付けよりも吸引時間比の重み付けを大きくすることができる。
【００３５】
重み付け決定部１４５は、水質の指標の測定値として、流動電流値Ｃ１に基づく注入量Ｍ１と、吸引時間比Ｒ２に基づく注入量Ｍ２との差を算出する。注入量Ｍ１と注入量Ｍ２とは基本的には近い値となるはずであるため、注入量Ｍ１と注入量Ｍ２との差が閾値以上である場合には、測定された水の濁度は濁度閾値以上である、と考えられる。濁度が濁度閾値以上となっている場合、流動電流値の信頼性は、吸引時間比の信頼性よりも低いと考えられる。
【００３６】
そこで、重み付け決定部１４５は、算出した差が閾値未満である場合、吸引時間比の重み付けよりも流動電流値の重み付けを大きくすることができる。また、重み付け決定部１４５は、算出した差が閾値以上である場合、流動電流値の重み付けよりも吸引時間比の重み付けを大きくすることができる。
【００３７】
重み付け決定部１４５は、流動電流値の重み付けを、注入量決定部１４６に出力する。また、重み付け決定部１４５は、吸引時間比の重み付けを、注入量決定部１４６に出力する。
【００３８】
注入量決定部１４６は、重み付け決定部１４５が決定した重み付けに応じて、凝集剤９０の注入量を決定する。注入量決定部１４６は、例えば、式（１）に基づいて、凝集剤９０の注入量を決定する。式（１）において、流動電流値の重み付けと、吸引時間比の重み付けとの合計は、値１である。なお、注入量決定部１４６は、水温に応じて、凝集剤９０の注入量を補正してもよい。
【００３９】
凝集剤９０の注入量
＝（流動電流値の重み付け）×（目標注入量ＴＧ１−注入量Ｍ１）
＋（吸引時間比の重み付け）×（目標注入量ＴＧ２−注入量Ｍ２）  …（１）
【００４０】
注入量決定部１４６は、流動電流値の重み付けが値１と決定された場合、すなわち、吸引時間比の重み付けの重み付けが値０と決定された場合、図５に示す目標注入量ＴＧ１と注入量Ｍ１との差と等しい量を、凝集剤９０の注入量と決定する。
【００４１】
注入量決定部１４６は、吸引時間比の重み付けが値１と決定された場合、すなわち、流動電流値の重み付けの重み付けが値０と決定された場合、図６に示す目標注入量ＴＧ２と注入量Ｍ２との差と等しい量を、凝集剤９０の注入量と決定する。
【００４２】
注入量決定部１４６は、決定した凝集剤９０の注入量が注入されるように、調整部８０を制御する。これによって、混和池３０では、調整部８０が混和池３０の水に凝集剤９０を注入する。
【００４３】
次に、水処理制御装置１４０の動作を説明する。
図７は、実施形態における、水処理制御装置１４０の動作を示す図である。
吸引時間比取得部１４２は、ろ過される前の水の吸引時間と、ろ過された後の水の吸引時間との比である吸引時間比を取得する（ステップＳ１０１）。
流動電流値取得部１４２は、ろ過される前の水の流動電流値を取得する（ステップＳ１０２）。
【００４４】
重み付け決定部１４５は、水質の指標の測定値に基づいて、吸引時間比と流動電流値との相対的な重み付けを決定する。例えば、重み付け決定部１４５は、吸引時間比に基づく注入量と、流動電流値に基づく注入量との差を、水質の指標の測定値として算出する。算出した差が閾値未満である場合、吸引時間比の重み付けよりも流動電流値の重み付けを大きくし、算出した差が閾値以上である場合、流動電流値の重み付けよりも吸引時間比の重み付けを大きくする。
【００４５】
また、例えば、重み付け決定部１４５は、水質の指標の測定値としての濁度が濁度閾値未満である場合、吸引時間比の重み付けよりも流動電流値の重み付けを大きくし、濁度が濁度閾値以上である場合、流動電流値の重み付けよりも吸引時間比の重み付けを大きくしてもよい（ステップＳ１０３）。
注入量決定部１４６は、吸引時間比と、流動電流値と、決定された重み付けとに基づいて、凝集剤の注入量又は注入率を決定する（ステップＳ１０４）。
【００４６】
以上のように、実施形態の水処理制御装置１４０は、吸引時間比取得部１４１と、流動電流値取得部１４２と、重み付け決定部１４５と、注入量決定部１４６とを持つ。吸引時間比取得部１４１は、ろ過される前の水の吸引時間と、ろ過された後の水の吸引時間との比である吸引時間比を取得する。流動電流値取得部１４２は、ろ過される前の水の流動電流値を取得する。重み付け決定部１４５は、ろ過される前の水に応じた水質の指標の測定値に基づいて、吸引時間比と流動電流値との相対的な重み付けを決定する。注入量決定部１４６は、吸引時間比と、流動電流値と、重み付け決定部１４５によって決定された重み付けとに基づいて、凝集剤９０の注入量又は注入率を決定する。
【００４７】
この構成によって、注入量決定部１４６は、吸引時間比（STR）と、流動電流値（SCD）と、決定された重み付けとに基づいて、凝集剤９０の注入量又は注入率を決定する。これによって、実施形態の水処理制御装置１４０は、凝集剤９０を過剰に注入することを抑制することができる。
【００４８】
実施形態の水処理制御装置１４０は、凝集剤９０の過剰が注入されていること判定することができるので、薬品コストを削減することができる。実施形態の水処理制御装置１４０は、凝集剤９０の過剰が注入されていること判定することができるので、ろ過池６０の洗浄頻度を下げ、有収率を向上させることができる。有収率は、有収水量を給水量で除したものである。実施形態の水処理制御装置１４０は、凝集剤９０を適正に注入し、ろ過池６０の洗浄頻度を下げることができるので、汚泥の発生量を削減することができる。
【００４９】
実施形態の重み付け決定部１４５は、吸引時間比に基づく注入量と、流動電流値に基づく注入量との差を、水質の指標の測定値として算出する。実施形態の重み付け決定部１４５は、算出した差が閾値未満である場合、吸引時間比の重み付けよりも流動電流値の重み付けを大きくし、算出した差が閾値以上である場合、流動電流値の重み付けよりも吸引時間比の重み付けを大きくする。
【００５０】
実施形態の水処理制御装置１４０は、濁度取得部１４３を更に備える。濁度取得部１４３は、ろ過される前の水の濁度情報を取得する。実施形態の重み付け決定部１４５は、水質の指標の測定値としての濁度が濁度閾値未満である場合、吸引時間比の重み付けよりも流動電流値の重み付けを大きくし、濁度が濁度閾値以上である場合、流動電流値の重み付けよりも吸引時間比の重み付けを大きくする。
【００５１】
実施形態の吸引時間比取得部１４１は、運転員が手動で測定した吸引時間比と、吸引時間比を測定する装置が測定した吸引時間比とのいずれかを取得する。
【００５２】
実施形態の水処理制御方法は、水処理制御装置における水処理制御方法であって、吸引時間比を取得するステップと、流動電流値を取得するステップと、重み付けを決定するステップと、凝集剤の注入量又は注入率を決定するステップとを含む。吸引時間比を取得するステップでは、吸引時間比取得部１４１は、ろ過される前の水の吸引時間と、ろ過された後の水の吸引時間との比である吸引時間比を取得する。流動電流値を取得するステップでは、流動電流値取得部１４２は、ろ過される前の水の流動電流値を取得する。重み付けを決定するステップでは、重み付け決定部１４５は、ろ過される前の水に応じた水質の指標の測定値に基づいて、吸引時間比と流動電流値との相対的な重み付けを決定する。凝集剤の注入量又は注入率を決定するステップでは、注入量決定部１４６は、吸引時間比と、流動電流値と、決定された重み付けとに基づいて、凝集剤の注入量又は注入率を決定する。
【００５３】
以上述べた少なくともひとつの実施形態の水処理制御装置によれば、吸引時間比と、流動電流値と、決定された重み付けとに基づいて、凝集剤の注入量又は注入率を決定する注入量決定部を持つことにより、凝集剤を過剰に注入することを抑制することができる。
【００５４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１…水処理システム、１０…取水井、２０…着水井、３０…混和池、３１…混合装置、４０…フロック形成池、５０…沈殿池、６０…ろ過池、７０…配水池、８０…調整部、９０…凝集剤、１００…注入装置、１１０…流動電流計、１１１…プルーブ、１１２…ピストン、１１３…電極、１２０…濁度計、１３０…時間比測定装置、１４０…水処理制御装置、１４１…吸引時間比取得部、１４２…流動電流値取得部、１４３…濁度取得部、１４４…記憶部、１４５…重み付け決定部、１４６…注入量決定部、ＳＷ…切替部
【図１】
0006301810.tif 000002
【図２】
0006301810.tif 000003
【図３】
0006301810.tif 000004
【図４】
0006301810.tif 000005
【図５】
0006301810.tif 000006
【図６】
0006301810.tif 000007
【図７】
0006301810.tif 000008